(57)【要約】【課題】軽量盛土構造の積層構造体の最下層において、軽量盛土ブロックの発泡合成樹脂の密度を可能な限り低く抑え、垂直荷重や積層構造体の揺れに対する安定性を高める手段を提供する。【解決手段】本軽量盛土構造は、発泡合成樹脂からなる軽量盛土ブロック２ａ，２ｂが積層されて積層構造体３が構成され、該積層構造体３の壁面に壁面保護材４が覆設された軽量盛土構造において、積層構造体３の最下層の壁面側に配置される軽量盛土ブロック２ａの底面２１と側面２０とで形成される隅部に、該底面２１から側面２０に渡って傾斜した斜面２２が形成されたものである。これにより、積層構造体３の底面積が増え、積層構造体３に作用する応力を分散することができる。また、積層構造体３の揺れ、特に壁面側の揺れが生じた際に積層構造体３の壁面側の隅部に作用する応力を分散することができる。【選択図】      図１
2005042319.tif 000002
【特許請求の範囲】
【請求項１】
発泡合成樹脂からなる軽量盛土ブロックが積層されて積層構造体が構成され、該積層構造体の壁面に壁面保護材が覆設された軽量盛土構造において、
前記積層構造体の底面と壁面とで形成される隅部が、該底面から壁面に渡って傾斜した斜面であることを特徴とする軽量盛土構造。
【請求項２】
発泡合成樹脂からなる軽量盛土ブロックが積層されて積層構造体が構成され、該積層構造体の壁面に壁面保護材が覆設された軽量盛土構造において、
前記積層構造体の最下層に配置される軽量盛土ブロックの底面が、該底面の周縁から中央に向かって傾斜した斜面を有することを特徴とする軽量盛土構造。
【請求項３】
発泡合成樹脂からなる軽量盛土ブロックが積層されて積層構造体が構成され、該積層構造体の壁面に壁面保護材が覆設された軽量盛土構造において、
前記積層構造体の最下層に配置される軽量盛土ブロックの底面に、その周縁から中央に向かって傾斜した斜面を有する凸型又は凹型が複数設けられたことを特徴とする軽量盛土構造。
【請求項４】
前記底面の斜面、又は前記凸型若しくは凹型の斜面が曲面であることを特徴とする請求項２又は３記載の軽量盛土構造。
【請求項５】
軽量盛土構造の最下層に配設される発泡合成樹脂製の軽量盛土ブロックであって、その底面と軽量盛土構造の壁面側となる側面とで形成される隅部が、該底面から側面に渡って傾斜した斜面であることを特徴とする軽量盛土ブロック。
【請求項６】
軽量盛土構造の最下層に配設される発泡合成樹脂製の軽量盛土ブロックであって、その底面が、該底面の周縁から中央に向かって傾斜した斜面を有することを特徴とする軽量盛土ブロック。
【請求項７】
軽量盛土構造の最下層に配設される発泡合成樹脂製の軽量盛土ブロックであって、その底面に、その周縁から中央に向かって傾斜した斜面を有する凸型又は凹型が複数設けられたことを特徴とする軽量盛土ブロック。
【請求項８】
前記底面の斜面、又は前記凸型若しくは凹型の斜面が曲面であることを特徴とする請求項６又は７記載の軽量盛土ブロック。
【発明の詳細な説明】
【０００１】
【発明の属する技術分野】
本発明は、発泡合成樹脂からなる軽量盛土材の単位ユニットが積層されてなる積層構造体の壁面に壁面保護材が覆設された軽量盛土構造における積層構造体の底面構造に関する。
【０００２】
【従来の技術】
従来より、軟弱地盤の沈下、凍上防止、騒音防止、断熱効果の向上等を目的として、発泡合成樹脂製の軽量盛土ブロックを用いた軽量盛土工法が実用されており、例えば地盤が傾斜面である場合には、地盤上に複数の軽量盛土ブロックを載置して積層し、該積層構造体の壁面側に壁面防護材としてＰＣ（プレキャストコンクリート）パネルを覆設している。図１１は、従来の軽量盛土構造の一例を示すものであるが、傾斜面を有する地盤に基礎９０を敷設してＨ型鋼９１を立設し、該Ｈ型鋼９１に平板状のＰＣパネル９２を固定し、該ＰＣパネル９２より内側の傾斜面に軽量盛土ブロック９３を積層して積層構造体９４を形成し、該積層構造体９４の上面にアスファルト舗装やコンクリート舗装、敷石等の敷設材を設置した構造であり、これにより、軽量盛土構造上に道路や建造物を構築することができる。このような従来の軽量盛土構造では、積層構造体９４の最下層には、積層構造体９４自体やコンクリート舗装の荷重Ｆが作用するため、最下層の軽量盛土ブロックの発泡合成樹脂の密度を他の層の軽量盛土ブロックより高くして、該軽量盛土ブロックの圧縮強度を高めている（特許文献１参照）。
【０００３】
【特許文献１】
特開２０００−２８２４７０号公報
【０００４】
【発明が解決しようとする課題】
しかし、軽量盛土ブロック９３の発泡合成樹脂の密度を高くすると原料コストも高くなるので、経済的な観点からは発泡合成樹脂の密度を高くすることは好ましくない。また、図１２に示すように、地震等により前記積層構造体９４に揺れが生じた場合には、最下層の軽量盛土ブロック９３の隅部に応力が集中し、該軽量盛土ブロック９３に圧潰や歪み等が生じる。前述したような軽量盛土構造では、積層構造体９４が特に壁面方向に揺れ易いので、最下層の軽量盛土ブロック９３の壁面側に圧潰や歪み等の損傷が生じ易く、その程度によって積層構造体９４が崩壊するおそれもある。
【０００５】
本発明は、これらの点に鑑みてなされたものであり、軽量盛土構造の積層構造体の最下層において、軽量盛土ブロックの発泡合成樹脂の密度を可能な限り低く抑え、垂直荷重や積層構造体の揺れに対する安定性を高める手段を提供することを目的とする。
【０００６】
【課題を解決するための手段】
前記課題を解決するためになされた本発明は、発泡合成樹脂からなる軽量盛土ブロックが積層されて積層構造体が構成され、該積層構造体の壁面に壁面保護材が覆設された軽量盛土構造において、前記積層構造体の底面と壁面とで形成される隅部が、該底面から壁面に渡って傾斜した斜面であることを特徴とするものである。これにより、積層構造体の底面積が増え、積層構造体に作用する応力を分散することができる。また、積層構造体の揺れ、特に壁面側の揺れが生じた際に積層構造体の壁面側の隅部に作用する応力を分散することができる。
【０００７】
また、本発明は、発泡合成樹脂からなる軽量盛土ブロックが積層されて積層構造体が構成され、該積層構造体の壁面に壁面保護材が覆設された軽量盛土構造において、前記積層構造体の最下層に配置される軽量盛土ブロックの底面が、該底面の周縁から中央に向かって傾斜した斜面を有することを特徴とするものである。
【０００８】
また、本発明は、発泡合成樹脂からなる軽量盛土ブロックが積層されて積層構造体が構成され、該積層構造体の壁面に壁面保護材が覆設された軽量盛土構造において、前記積層構造体の最下層に配置される軽量盛土ブロックの底面に、その周縁から中央に向かって傾斜した斜面を有する凸型又は凹型が複数設けられたことを特徴とするものである。
【０００９】
また、本発明は、前記軽量盛土構造において、前記底面の斜面、又は前記凸型若しくは凹型の斜面が曲面であることを特徴とするものである。
【００１０】
また、本発明は、軽量盛土構造の最下層に配設される発泡合成樹脂製の軽量盛土ブロックであって、その底面と軽量盛土構造の壁面側となる側面とで形成される隅部が、該底面から側面に渡って傾斜した斜面であることを特徴とするものである。
【００１１】
また、本発明は、軽量盛土構造の最下層に配設される発泡合成樹脂製の軽量盛土ブロックであって、その底面が、該底面の周縁から中央に向かって傾斜した斜面を有することを特徴とするものである。
【００１２】
また、本発明は、軽量盛土構造の最下層に配設される発泡合成樹脂製の軽量盛土ブロックであって、その底面に、その周縁から中央に向かって傾斜した斜面を有する凸型又は凹型が複数設けられたことを特徴とするものである。
【００１３】
また、本発明は、前記軽量盛土ブロックにおいて、前記底面の斜面、又は前記凸型若しくは凹型の斜面が曲面であることを特徴とするものである。
【００１４】
【発明の実施の形態】
以下、本発明の第１の実施の形態に係る軽量盛土構造を図面に基づき具体的に説明する。
本軽量盛土構造は、図１に示すように、地盤の斜面１に軽量盛土ブロック２ａ，２ｂが積層されて積層構造体３が構成され、該積層構造体３の壁面に壁面保護材４が覆設されたものである。なお、積層構造体３の下層には整地や水はけ等を目的に基礎や砕石が敷設され、積層構造体３の上層にはアスファルト舗装やコンクリート舗装がなされるが、これらは周知且つ任意なものなので詳細な説明は省略する。また、壁面保護材４は積層構造体３の壁面側に立設されたＨ型鋼５に固定されているが、Ｈ型鋼５も任意の構成であり、例えば、壁面保護材４を斜面１に埋設したアンカーとアンカーベルトで連結することにより支持する等、周知且つ任意の支持構造を採用することができる。
【００１５】
図２は、前記積層構造体３の最下層の壁面側に配置され、該積層構造体３の底面を構成している軽量盛土ブロック２ａを示すものであるが、軽量盛土ブロック２ａは、図に示すように、例えば、ポリスチレン、ポリオレフィン、ウレタン等の合成樹脂の発泡体からなる略直方体である。図２においては、手前側の側面２０が前記積層構造体３の壁面を構成し、該側面を覆うように前記壁面保護材４が設けられることとなる。更に、本軽量盛土ブロック２ａは、その底面２１と側面２０とで形成される隅部が、該底面２１から側面２０に渡って傾斜した斜面２２となっている。前述したように、軽量盛土ブロック２ａの底面２１は積層構造体３の底面を構成し接地面となるものなので、積層構造体３やコンクリート舗装等の荷重によって、該底面２１には応力が生ずる。軽量盛土ブロック２ａに前記斜面２２を形成することにより、積層構造体３の底面積が増え、その分、該積層構造体３に作用する応力を分散することができる。また、地震等により積層構造体３が壁面側に揺れた場合に、該積層構造体３の壁面側の隅部に作用する応力が前記斜面２２に分散される。
【００１６】
前記斜面２２の傾斜角や面積は、積層構造体３の接地面に作用する応力を考慮して、該積層構造体３の底面積が最大となるように設定することが好適であり、例えば積層構造体３が大きなものである場合には、図３に示すように、積層構造体３の最下層のみだけでなく、最下層を含む複数の層の壁面側に軽量盛土ブロック２ａを配置し、該軽量盛土ブロック２ａに一体的に斜面２２を形成することとしてもよい。
【００１７】
なお、軽量盛土ブロック２ａの形状は略直方体であるが、本実施の形態における略直方体とは前記斜面２２を除いた部分の外形が直方体であることをいう。また、軽量盛土ブロック２ａの大きさは特に限定されるものではなく、積層方法によって多種の大きさの物を用いることもできるが、前記斜面２２を除いた直方体の幅×奥行×高さは概ね１０００ｍｍ×２０００ｍｍ×５００ｍｍ程度のものである。また、図には示していないが、前記軽量盛土ブロック２ｂは軽量盛土ブロック２ａと同様の発泡合成樹脂製の直方体であり、前記斜面２２が形成されていないものである。また、軽量盛土ブロック２ａ，２ｂには、排水用の溝等を適宜形成することができる。例えば、軽量盛土ブロック２ａ，２ｂの側面等に適宜溝を形成し、該溝が積層された軽量盛土ブロック２ａ，２ｂ間において連通するようにすれば、積層構造体３に雨水等の排水路が形成され、冠水等により軽量盛土ブロック２ａ，２ｂに浮力が生じることを防止できるので好適である。
【００１８】
また、前記壁面保護材４は、コンクリートや合成樹脂等からなる矩形のパネル等の周知なものであり、また、該パネルに代えて、植物育成用土を内包可能な炭素繊維、合成樹脂、繊維強化プラスチック、不織布等の網状の部材を壁面保護材４として用いれば、本軽量盛土構造の壁面を緑化することができる。
【００１９】
なお、本実施の形態に係る軽量盛土構造は、斜面１を有する地盤に設けられた所謂片幅擁壁盛土であるが、本発明に係る軽量盛土構造は自立型の構造であってもよい。図４は、自立型の軽量盛土構造を示すものであるが、図に示すように、軽量盛土構造の両側面となる位置に所定間隔でＨ型鋼５が立設され、該Ｈ型鋼５間の空間に前記軽量盛土ブロック２ａ，２ｂが積層されて積層構造体３が構成され、該積層構造体３の両側の壁面に壁面保護材４が覆設されている。この場合、積層構造体３の両側が壁面となるので、前記軽量盛土ブロック２ａは、該積層構造体３の最下層の両壁面側に、その斜面２２が各壁面側を向くようにして夫々配設されている。これにより、積層構造体３が両壁面側に揺れた場合に、両壁面側の隅部に作用する応力を分散することができる。
【００２０】
このように、積層構造体３の最下層の壁面側に、底面２１と側面２０とで形成される隅部に斜面２２が形成された軽量盛土ブロック２ａを配置することにより、積層構造体３の底面積が増え、積層構造体３に作用する応力を分散することができる。また、地震等により積層構造体３の揺れが生じた際に、積層構造体３の壁面側の隅部に作用する応力を分散することができる。よって、積層構造体３の最下層に配置される軽量盛土ブロック２ａの密度を可能な限り高くすることなく、軽量盛土構造を安定化することができる。勿論、軽量盛土ブロック２ａに斜面２２を形成するとともに、軽量盛土ブロック２ａの発泡合成樹脂の密度を必要な範囲内で高めることも可能であるが、本軽量盛土構造を採用することにより、密度を高める必要性が軽減されるのでコストを下げることが可能となる。
【００２１】
以下、本発明の第２の実施の形態に係る軽量盛土構造について説明する。
本軽量盛土構造は、前記第１の実施の形態に係る軽量盛土構造と、積層構造体３の最下層に配置される軽量盛土ブロックの構成のみが異なるものであり、その他の構成は第１の実施の形態に係る軽量盛土構造と同一であるので、該軽量盛土ブロックの構成を詳述し、その他の構成の説明は省略する。図５は、積層構造体３の最下層に配置される軽量盛土ブロック２ｃを示すものであるが、該軽量盛土ブロック２ｃは合成樹脂の発泡体からなる略直方体であり、その底面２３は、該底面２３の周縁から底面２３の中央へ向かって傾斜した４つの斜面２３ａ，２３ｂ，２３ｃ，２３ｄにより構成されている。なお、本実施の形態における略直方体とは前記各斜面２３ａ，２３ｂ，２３ｃ，２３ｄを除いた部分の外形が直方体であることをいう。該４つの斜面２３ａ，２３ｂ，２３ｃ，２３ｄは、図５（ｂ）に示すように、長辺側の斜面２３ａ，２３ｂが底面２３の中央で接しており、短辺側の斜面２３ｃ，２３ｄは、該長辺側の斜面２３ａ，２３ｂと夫々接しており、これにより底面２３は、住宅の屋根でいうところの寄棟屋根を上下逆にした形状となっている。このような４つの斜面２３ａ，２３ｂ，２３ｃ，２３ｄを有する底面２３により、軽量盛土ブロック２ｃの底面積が底面２３の投影面積より増え、該軽量盛土ブロック２ｃが積層構造体３の最下層に配置されることにより積層構造体３の底面積が増えて、その分、該積層構造体３に作用する応力を分散することができる。また、地震等により積層構造体３が壁面側に揺れた場合には、前記斜面２３ｃ又は斜面２３ｄにより該積層構造体３の壁面側の隅部に作用する応力が分散される。
【００２２】
図６は、前記第２の実施の形態の変形例に係る軽量盛土ブロック２ｄを示すものであるが、該軽量盛土ブロック２ｄは合成樹脂の発泡体からなる略直方体であり、その底面２４が、該底面２４の短辺側の周縁から底面２４の中央へ向かって夫々下方へ傾斜した２つの斜面２４ａ，２４ｂにより構成されている。図６（ｂ）に示すように、該２つの斜面２４ａ，２４ｂは底面２４の中央で接しており、住宅の屋根でいうところの切妻屋根を上下逆にした形状となっている。このような２つの斜面２４ａ，２４ｂを有する底面２４により、軽量盛土ブロック２ｄの底面積が底面２４の投影面積より増え、該軽量盛土ブロック２ｄが積層構造体３の最下層に配置されることにより積層構造体３の底面積が増えて、その分、該積層構造体３に作用する応力を分散することができる。なお、本軽量盛土ブロック２ｄのように底面２４の周縁すべてを底面２４の中央方向へ傾斜した斜面としなくとも底面積を増加することが可能であるが、斜面２４ａ，２４ｂのいずれかが軽量盛土ブロック２ｄの底面２４の周縁のうち壁面側となるように形成すれば、地震等により積層構造体３が壁面側に揺れた場合に、該斜面２４ａ又は斜面２４ｂにより該積層構造体３の壁面側の隅部に作用する応力が分散されるので好ましい。
【００２３】
図７は、前記第２の実施の形態の他の変形例に係る軽量盛土ブロック２ｅを示すものであるが、該軽量盛土ブロック２ｅは合成樹脂の発泡体からなる略直方体であり、その底面２５が、該底面２５の周縁から底面２５の中央に向かって夫々傾斜した４つの斜面２５ａ，２５ｂ，２５ｃ，２５ｄと、水平方向の矩形の平面２５ｅとにより構成されている。図７（ｂ）に示すように、該４つの斜面２５ａ，２５ｂ，２５ｃ，２５ｄは、前記平面２５ｅの各辺と夫々接して、角錐の上部を水平面で切り取った所謂角錐台を逆にした形状となっている。このような４つの斜面２５ａ，２５ｂ，２５ｃ，２５ｄを有する底面２５により、軽量盛土ブロック２ｅの底面積が底面２５の投影面積より増え、該軽量盛土ブロック２ｅが積層構造体３の最下層に配置されることにより積層構造体３の底面積が増えて、その分、該積層構造体３に作用する応力を分散することができる。また、地震等により積層構造体３が壁面側に揺れた場合には、前記斜面２５ｃ又は斜面２５ｄにより該積層構造体３の壁面側の隅部に作用する応力が分散される。
なお、本実施の形態では、前記各軽量盛土ブロック２ｃ，２ｄ，２ｅの底面２３，２４，２５は、各底面２３，２４，２５の周縁から各底面２３，２４，２５の中央に向かって下方向へ傾斜した斜面により凸形状をなしているが、各斜面を上方向に形成することにより、各底面２３，２４，２５を凹形状のものとしても同様の効果を奏することができる。
【００２４】
以下、本発明の第３の実施の形態に係る軽量盛土構造について説明する。
本軽量盛土構造は、前記第１の実施の形態に係る軽量盛土構造と、積層構造体３の最下層に配置される軽量盛土ブロックの構成のみが異なるものであり、その他の構成は第１の実施の形態に係る軽量盛土構造と同一であるので、該軽量盛土ブロックの構成を詳述し、その他の構成の説明は省略する。図８は、積層構造体３の最下層に配置される軽量盛土ブロック２ｆを示すものであるが、該軽量盛土ブロック２ｆは合成樹脂の発泡体からなる略直方体であり、平面視が矩形の８つの凸型２６が、図に示すように、軽量盛土ブロック２ｆの底面に４列×２行で列設されている。なお、本実施の形態における略直方体とは、前記各凸型２６を除いた部分の外形が直方体であることをいう。
【００２５】
さらに詳細に説明するに、図に示すように、前記凸型２６は、その周縁から中央に向かって下方へ傾斜した４つの斜面２６ａ，２６ｂ，２６ｃ，２６ｄと、水平方向の矩形の平面２６ｅとから構成されており、４つの斜面２６ａ，２６ｂ，２６ｃ，２６ｄが、前記平面２６ｅの各辺と夫々接して、角錐の上部を水平面で切り取った所謂角錐台を逆にした形状となっている。このような形状の各凸型２６の４つの斜面２６ａ，２６ｂ，２６ｃ，２６ｄにより、軽量盛土ブロック２ｆの底面積が投影面積より増え、該軽量盛土ブロック２ｆが積層構造体３の最下層に配置されることにより積層構造体３の底面積が増えて、その分、該積層構造体３に作用する応力を分散することができる。また、地震等により積層構造体３が壁面側に揺れた場合には、前記各凸型２６の斜面２６ｃ又は斜面２６ｄにより該積層構造体３の壁面側の隅部に作用する応力が分散される。
【００２６】
図９は、前記第３の実施の形態の変形例に係る軽量盛土ブロック２ｇを示すものであるが、該軽量盛土ブロック２ｇは合成樹脂の発泡体からなる略直方体であり、平面視が矩形の８つの凹型２７が、図に示すように、軽量盛土ブロック２ｇの底面に４列×２行で列設されている。該凹型２７は、その周縁から中央に向かって上方ヘ傾斜した４つの斜面２７ａ，２７ｂ，２７ｃ，２７ｄと、水平方向の矩形の平面２７ｅとから構成されている。このように、前記凸型２６を凹型２７としても、前述と同様の効果を得ることができる。
【００２７】
なお、本実施の形態においては、軽量盛土ブロック２ｆ，２ｇの底面に前記凸型２６又は凹型２７を４列×２行で８つ列設するものとしたが、該凸型２６又は凹型２７の配置や数は、軽量盛土ブロック２ｆ，２ｇの底面の形状や面積に合わせて適宜変更可能なことは当然である。
【００２８】
以下、本発明の第４の実施の形態に係る軽量盛土構造について説明する。
本軽量盛土構造は、前記第１の実施の形態に係る軽量盛土構造と、積層構造体３の最下層に配置される軽量盛土ブロックの構成のみが異なるものであり、その他の構成は第１の実施の形態に係る軽量盛土構造と同一であるので、該軽量盛土ブロックの構成を詳述し、その他の構成の説明は省略する。図１０（ａ）は、積層構造体３の最下層に配置される軽量盛土ブロック２ｈを示すものであるが、該軽量盛土ブロック２ｈは合成樹脂の発泡体からなる略直方体であり、その底面の中央が下方へドーム状に膨出して、底面周縁から中央へ向かって下方へ傾斜した曲面からなる凸型２８が形成されたものである。なお、本実施の形態における略直方体とは前記凸型２８を除いた部分の外形が直方体であることをいう。前記凸型２８の曲面により、軽量盛土ブロック２ｈの底面積が投影面積より増え、該軽量盛土ブロック２ｈが積層構造体３の最下層に配置されることにより積層構造体３の底面積が増えて、その分、該積層構造体３に作用する応力を分散することができる。また、前記凸型２８の曲面に対して応力は法線方向に生ずるので、該凸型２８に作用する応力が分散され、地震等により積層構造体３が揺れた場合にも積層構造体３を安定して支持することができる。
【００２９】
図１０（ｂ）は、前記第４の実施の形態の変形例に係る軽量盛土ブロック２ｉを示すものであるが、該軽量盛土ブロック２ｉは合成樹脂の発泡体からなる略直方体であり、その底面の全面に、下方へドーム状に膨出した凸型２９が列設されたものである。該凸型２９は、その周縁から中央へ向かって下方へ傾斜した曲面からなるものであり、このように、前記凸型２８に代えて複数の凸型２９を列設したものとしても、前述と同様の効果を得ることができる。また、該凸型２８，２９を周縁から中央へ向かって凹陥した凹型としても同様の効果が得られる。
【００３０】
【発明の効果】
このように、本発明に係る軽量盛土構造によれば、少なくとも、積層構造体の底面と壁面とで形成される隅部が、該底面から壁面に渡って傾斜した斜面としたので、積層構造体の底面積が投影面積より増えることにより、積層構造体に作用する応力が分散される。これにより、積層構造体の最下層に配置される軽量盛土ブロックの発泡合成樹脂の密度を可能な限り低く抑え、垂直荷重や積層構造体の揺れに対する安定性を高めることができる。
【００３１】
また、積層構造体の底面を構成する軽量盛土ブロックの底面を、底面の周縁から中央に向かって傾斜した斜面を有するものとしたので、前述と同様の効果を奏することができる。
【図面の簡単な説明】
【符号の説明】
【図１】本発明の第１の実施の形態に係る軽量盛土構造を示す断面図である。
【図２】軽量盛土ブロック２ａの構成を示す斜視図である。
【図３】最下層を含む複数層に軽量盛土ブロック２ａを配置した軽量盛土構造を示す断面図である。
【図４】本発明を自立型の軽量盛土構造に適用した構成を示す断面図である。
【図５】（ａ）は、本発明の第２の実施の形態に係る軽量盛土ブロック２ｃを示す側面図であり、（ｂ）は、軽量盛土ブロック２ｃの底面図である。
【図６】（ａ）は、第２の実施の形態の変形例に係る軽量盛土ブロック２ｄを示す側面図であり、（ｂ）は、軽量盛土ブロック２ｄの底面図である。
【図７】（ａ）は、第２の実施の形態の他の変形例に係る軽量盛土ブロック２ｅを示す側面図であり、（ｂ）は、軽量盛土ブロック２ｅの底面図である。
【図８】（ａ）は、本発明の第３の実施の形態に係る軽量盛土ブロック２ｆを示す側面図であり、（ｂ）は、軽量盛土ブロック２ｆの底面図である。
【図９】（ａ）は、第３の実施の形態の変形例に係る軽量盛土ブロック２ｇを示す側面図であり、（ｂ）は、軽量盛土ブロック２ｇの底面図である。
【図１０】（ａ）は、本発明の第４の実施の形態に係る軽量盛土ブロック２ｈを示す側面図であり、（ｂ）は、その変形例に係る軽量盛土ブロック２ｈを示す側面図である。
【図１１】従来の軽量盛土構造を示す断面図である。
【図１２】従来の軽量盛土構造が揺れた状態を示す断面図である。
【符号の説明】
２ａ−２ｉ  軽量盛土ブロック
３  積層構造体
４  壁面保護材
２０  側面
２１，２３，２４，２５，２８  底面
２２，２３ａ−２３ｄ，２４ａ−２３ｂ，２５ａ−２３ｄ，２６ａ−２３ｄ，２７ａ−２３ｄ  斜面
２６，２９  凸型
２７  凹型
【図１】
2005042319.tif 000003
【図２】
2005042319.tif 000004
【図３】
2005042319.tif 000005
【図４】
2005042319.tif 000006
【図５】
2005042319.tif 000007
【図６】
2005042319.tif 000008
【図７】
2005042319.tif 000009
【図８】
2005042319.tif 000010
【図９】
2005042319.tif 000011
【図１０】
2005042319.tif 000012
【図１１】
2005042319.tif 000013
【図１２】
2005042319.tif 000014